(57)【特許請求の範囲】
【請求項１】
蛍光ランプ及び点灯回路を有する照明器具本体と、
前記照明器具本体の周縁にあって、該照明器具本体を取り付ける取付面に垂直な方向を照射する下向き発光ダイオードと、
前記照明器具本体の周縁にあって、該照明器具本体の周縁から外側の前記取付面を照射する斜め上向き発光ダイオードと、
を備えることを特徴とする直付け照明器具。
【請求項２】
前記下向き発光ダイオードおよび前記斜め上向き発光ダイオードは、前記照明器具本体の周縁の同じ箇所に配置されることを特徴とする請求項１に記載の直付け照明器具。
【請求項３】
前記下向き発光ダイオードおよび前記斜め上向き発光ダイオードはそれぞれ、前記照明器具本体の周縁に等間隔に配置されることを特徴とする請求項１または２に記載の直付け照明器具。
【請求項４】
同じ箇所に配置される前記下向き発光ダイオードおよび前記斜め上向き発光ダイオードは、１つの放熱板に取り付けられることを特徴とする請求項１ないし３のいずれか１項に記載の直付け照明器具。
【請求項５】
前記下向き発光ダイオードまたは前記斜め上向き発光ダイオードが取り付けられる放熱板は、前記照明器具本体に接続して取り付けられることを特徴とする請求項１ないし４のいずれか１項に記載の直付け照明器具。
【請求項６】
前記下向き発光ダイオードまたは前記斜め上向き発光ダイオードを覆う外装の断面形状とほぼ同じ断面形状を有する枠を、前記下向き発光ダイオードまたは前記斜め上向き発光ダイオードを覆う外装の形状が前記照明器具本体の周縁に連続するように、前記下向き発光ダイオードおよび前記斜め上向き発光ダイオードの間の、前記照明器具本体の周縁部に備えることを特徴とする請求項１ないし５のいずれか１項に記載の直付け照明器具。
【発明の詳細な説明】
【技術分野】
【０００１】
本発明は天井または壁面などに本体が固定される直付け照明器具に関する。より詳しくは、間接照明機能を有する直付け照明器具に関する。
【背景技術】
【０００２】
天井または壁面などに本体が固定される直付け照明器具などにおいて、蛍光ランプ、白熱ランプ、ハロゲンランプなどによる主体となる発光照明機能の外に、光による装飾性を加味した演出効果を有するものがある。すなわち、照明用の光源である蛍光ランプ、白熱ランプ、ハロゲンランプ等の組み合わせと点灯回路の制御によって、これらの光源を調光させたり、光源の反射光による間接光を利用したりして、様々な外観上のデザインを創出し装飾的または演出効果をもたせている。
【０００３】
また、照明器具に異なる種類の複数の光源を組み合わせて用いることがある。例えば、特許文献１の技術は、放電灯と複数の可視発光ダイオードとを照明用光源として組み合わせて器具本体に配置し、放電灯と複数の可視発光ダイオードとを切り替えて点灯可能とする。
【０００４】
その他、放電灯等と発光ダイオード等を組み合わせる方法として、次のようなものがある。特許文献２は、常夜灯として発光ダイオードを天井向きに配置し、常夜灯の光が直接目に入らないようにしている。特許文献３には、蛍光ランプと調光可能な発光ダイオードを組み合わせて、照明器具の色温度を変化させる技術が記載されている。
【０００５】
特許文献４には、光源部ケースで連結して導光リング状とした導光棒と、導光棒の端部に光を導入する光源を備え、導光棒を発光可能とすることが記載されている。導光リング状部は照明器具本体の下面に設けたグローブの外周に配置する。特許文献６の技術は、照明器具本体を囲んで取付けられた発光ダイオードからの光を、照明器具本体の蛍光ランプを覆うカバーに入射して装飾光を発する複数の発光飾りを備える。
【０００６】
また、吊り下げ型の照明器具についても、副光源のまぶしさを感じにくくすることが提案されている。特許文献５には、セードの上側の面に、例えば発光ダイオードからなる複数の副光源を配置し、その照射方向を天井面に向かう方向とすることが記載されている。
【特許文献１】特開２００３−２７２４１１号公報
【特許文献２】特開２００３−３０８７１０号公報
【特許文献３】特開２００４−１０３４４４号公報
【特許文献４】特開２００５−１５８４９６号公報
【特許文献５】特開２００５−１８３０３５号公報
【特許文献６】特開２００６−１２７８８５号公報
【発明の開示】
【発明が解決しようとする課題】
【０００７】
近年、テレビ受像器などの表示装置が薄型かつ大型化し、ホームシアターと言われるように、一般の家屋の居室内で映像を鑑賞する設備が用いられるようになっている。また、企業活動において、小規模な会議室などでも、映像を用いたプレゼンテーションが行われるようになった。
【０００８】
ホームシアターまたは映像を用いたプレゼンテーションでは、映像を見るのに妨げにならない柔らかな照明や、手元だけを照らすあかりが求められる。また、ホームシアターでは、インテリアに合わせた照明の装飾的または演出的効果が求められる。ホームシアターと会議室などでは、おのずから求められる装飾的または演出的効果が異なるものである。
【０００９】
求められる多様な照明機能に対応して、それぞれ別の照明器具を備えるのは、室内を改造することになって容易ではない。天井の照明用配線を分岐して、複数の照明器具を取り付けることは、安全上好ましくない。また、照明器具は天井などの取付面からの高さが小さいことが望ましい。
【００１０】
上述の関連する技術はいずれも、蛍光ランプ等の外に発光ダイオードなどによる１種類の照明の形態を組み合わせたものである。１つの照明器具で多様な装飾的または演出効果を奏することはない。
【００１１】
本発明は、上記事情に鑑みてなされたものであり、１つの照明器具で多様な光の演出が可能な直付け照明器具を提供することを目的とする。
【課題を解決するための手段】
【００１２】
本発明の第１の観点に係る直付け照明器具は、
蛍光ランプ及び点灯回路を有する照明器具本体と、
前記照明器具本体の周縁にあって、該照明器具本体を取り付ける取付面に垂直な方向を照射する下向き発光ダイオードと、
前記照明器具本体の周縁にあって、該照明器具本体の周縁から外側の前記取付面を照射する斜め上向き発光ダイオードと、
を備えることを特徴とする。
【００１３】
好ましくは、前記下向き発光ダイオードおよび前記斜め上向き発光ダイオードは、前記照明器具本体の周縁の同じ箇所に配置される。
【００１４】
好ましくは、前記下向き発光ダイオードおよび前記斜め上向き発光ダイオードはそれぞれ、前記照明器具本体の周縁に等間隔に配置される。
【００１５】
特に、同じ箇所に配置される前記下向き発光ダイオードおよび前記斜め上向き発光ダイオードは、１つの放熱板に取り付けられることを特徴とする。
【００１６】
好ましくは、前記下向き発光ダイオードまたは前記斜め上向き発光ダイオードが取り付けられる放熱板は、前記照明器具本体に接続して取り付けられることを特徴とする。
【００１７】
好ましくは、前記下向き発光ダイオードまたは前記斜め上向き発光ダイオードを覆う外装の断面形状とほぼ同じ断面形状を有する枠を、前記下向き発光ダイオードまたは前記斜め上向き発光ダイオードを覆う外装の形状が前記照明器具本体の周縁に連続するように、前記下向き発光ダイオードおよび前記斜め上向き発光ダイオードの間の、前記照明器具本体の周縁部に備える。
【発明の効果】
【００１８】
本発明の直付け照明器具によれば、蛍光ランプに加えて下向き発光ダイオードと斜め上向き発光ダイオードの光の組み合わせにより、多様な演出効果を発揮させることができる。
【発明を実施するための最良の形態】
【００１９】
以下、この発明の実施の形態について図面を参照しながら詳細に説明する。なお、図中同一または相当部分には同一符号を付し、その説明は繰り返さない。
【００２０】
図１は、本発明の実施の形態に係る直付け照明器具１の構成例を示す斜視図である。図２は、図１の直付け照明器具１の断面図である。
【００２１】
直付け照明器具１は、照明器具本体２、蛍光ランプ３、点灯回路４、飾り枠８、外装９および発光ユニット１０を備える。蛍光ランプ３、点灯回路４、飾り枠８、外装９および発光ユニット１０は、照明器具本体２の筐体に固定されている。図１の例では、直付け照明器具１は、大小２つの円形の蛍光ランプ３を備える。
【００２２】
直付け照明器具１は、天井面または壁面などの取付面２０に、フックを兼ねたコネクタ１６で取り付けられる。照明器具本体２と取付面２０の間に、直付け照明器具１を安定させるために、スペーサ１７が介在する。直付け照明器具１はコネクタ１６を介して電力線に接続し、例えば１００Ｖの交流電力が供給される。点灯回路４は電力線に接続し、蛍光ランプ３および発光ユニット１０を点灯させる。
【００２３】
図１に示すように、直付け照明器具１は遠隔制御受信部１５を備える。遠隔制御受信部１５は、例えば、微弱電波や赤外線などを用いる遠隔制御器（図示せず）の信号を受信して、点灯回路４を制御し、蛍光ランプ３および発光ユニット１０の点灯、消灯、調光などを制御する。
【００２４】
発光ユニット１０は、照明器具本体２の周縁に等間隔に配置される。図１の例では、発光ユニット１０は３カ所に配置される。発光ユニット１０が等間隔に配置されているので、取付面２０内の取付方向に制約がなく、コネクタ１６の取付面２０内の向きを気にする必要がない。
【００２５】
発光ユニット１０はそれぞれ、下向き発光ダイオード（以下、下向きＬＥＤという）５と、斜め上向き発光ダイオード（以下、斜めＬＥＤという）６とを備える。下向きＬＥＤ５と斜めＬＥＤ６は、１つの放熱板７に取り付けられている。下向きＬＥＤ５は、取付面２０に対して垂直方向Ｄに光りを照射する。斜めＬＥＤ６は、直付け照明器具１の外周から外側の取付面２０の方向Ｃに光を照射する。
【００２６】
図３は、図１の直付け照明器具１における発光ユニットの照射方向を説明する図である。下向きＬＥＤ５は、直付け照明器具１が天井に取り付けられた場合、天井から下方向に光を照射する。すなわち、下向きＬＥＤ５はダウンライトになっている。斜めＬＥＤ６は、直付け照明器具１の周縁から外側の取付面２０の方向に光を照射する。すなわち、斜めＬＥＤ６の光は取付面２０で反射する間接照明になっている。
【００２７】
外装９は、光を透過する材質、例えばアクリルなどで形成される。蛍光ランプ３は、外装９を通して光を照射する。外装９は、蛍光ランプ３を交換するために取り外すことができる。図１は、外装９を取り外した状態を示す。蛍光ランプ３は、室内全体を照明する。
【００２８】
直付け照明器具１は、蛍光ランプ３、下向きＬＥＤ５および斜めＬＥＤ６を備える。すなわち、室内全体の照明と、ダウンライトおよび間接照明それぞれに別の光源を有する。したがって、全体の照明、ダウンライトおよび間接照明を独立して点灯、消灯、および調光を行うことができる。そして、それらの組み合わせを変えることによって、さまざまな演出効果を有する照明を行わせることができる。
【００２９】
点灯回路４は、蛍光ランプ３と、下向きＬＥＤ５および斜めＬＥＤ６を独立に調光できることが望ましい。例えば、蛍光ランプ３の輝度を少し下げて、斜めＬＥＤ６の輝度を高めると、ある程度明るさを確保しながら、間接照明の柔らかさを演出することになる。また、下向きＬＥＤ５によるダウンライト効果と、斜めＬＥＤ６の間接照明効果を組み合わせることができる。さらに、ダウンライトのみ、または、間接照明のみとすることも可能である。以上は、直付け照明器具１の光の演出の一例であって、蛍光ランプ３、下向きＬＥＤ５および斜めＬＥＤ６を独立に多段階に調光することによって、多様な演出効果が得られる。
【００３０】
図４は、発光ユニット１０の分解斜視図である。下向きＬＥＤ５は基板５ａに実装される。斜めＬＥＤ６は基板６ａに実装される。基板５ａと基板６ａは、ともに放熱板７にネジ５ｂ、６ｂ等で取り付けられる。放熱板７は、発光ユニット１０の外装９ａ、９ｂにネジ９ｃ等で固定される。下向きＬＥＤ５および斜めＬＥＤ６の発光に伴って発生する熱は、放熱板７に伝わって発散する。さらに、熱は放熱板７から外装９に伝導してそこからも発散する。
【００３１】
外装９は、図２に示すように、照明器具本体２に接続していて、熱は照明器具本体２の筐体に伝わって発散する。照明器具本体２は、ヒートシンクであると同時に熱を発散するので、下向きＬＥＤ５および斜めＬＥＤ６から発生する熱は効率よく発散されて、ＬＥＤの温度を適切な範囲に保つ。さらに熱の発散を促すために放熱板７を直接、照明器具本体２に接続してもよい。
【００３２】
下向きＬＥＤ５の光は、レンズ１３を通して取付面２０に垂直な方向に照射される。レンズ１３は、下向きＬＥＤ５の光を適度に拡散しながら、ビームの範囲を制限する。レンズ１３によって、下向きＬＥＤ５の光が直接目に入ることを抑止し、明るさの範囲を限ることができる。
【００３３】
斜めＬＥＤ６の光は、レンズ１４を通して取付面２０に照射される。レンズ１４の形状や特性によって、取付面２０にさまざまな模様の光の濃淡を描くことができる。また、開口部９ｄの形状によって、照射光の範囲や形に変化をつけることができる。
【００３４】
直付け照明器具１は、照明器具本体２の周縁の発光ユニット１０の間に、飾り枠８を備える。図２に示すように、飾り枠８の断面の形状は、発光ユニット１０の外装９の断面形状とほぼ同じである。そして、飾り枠８は、発光ユニット１０の外装９の形状が照明器具本体２の周縁に連続するように形成されている。
【００３５】
発光ユニット１０の外装９の形状が照明器具本体２の周縁に連続するように形成されているので、発光ユニット１０が照明器具本体２から突出した印象を感じさせることがなく、直付け照明器具１が一体となって、まとまりのある外観を与える。飾り枠８に施す意匠を変えることによって、直付け照明器具１が設置されるインテリアに適合してそれに調和する外観とすることができる。
【００３６】
図５は、本発明の実施の形態に係る飾り枠８の構成を示す分解斜視図である。飾り枠８は、分割して発光ユニット１０の間に取り付けられる。発光ユニット１０が、照明器具本体２の周縁に等間隔に配置されると、飾り枠８は同じ部材を用いることができるので都合がよい。飾り枠８を交換することによって、直付け照明器具１の外観意匠を変えることができる。
【００３７】
図２の断面図に示されるように、飾り枠８は、蛍光ランプ３の光が取付面２０に直接照射するのを一部遮って、取付面２０に薄暗い影を生じる。そのため、斜めＬＥＤ６の光が取付面２０に映えて、間接照明の演出を際だたせる効果がある。
【００３８】
実施の形態においては、天井に取り付ける場合を想定して説明した。取付面２０は通常の天井に限らず、壁、柱、傾斜のある天井などでも、本発明の直付け照明器具１を適用することができる。
【００３９】
実施の形態では、下向きＬＥＤ５と斜めＬＥＤ６が照明器具本体２の周縁の同じ箇所に配置される場合を説明した。下向きＬＥＤ５と斜めＬＥＤ６は異なる箇所に配置されてもよい。また、下向きＬＥＤ５と斜めＬＥＤ６の個数は異なっていてもよい。それらの場合、下向きＬＥＤ５および斜めＬＥＤ６は、それぞれ間隔が異なっていても構わない。しかし、下向きＬＥＤ５と斜めＬＥＤ６が異なる箇所に配置される場合でも、それぞれを等間隔に配置することによって、飾り枠８を構成する部材の種類を少なくできる。
【００４０】
下向きＬＥＤ５と斜めＬＥＤ６の個数が異なる場合でも、実施の形態の例のように、同じ箇所に配置する下向きＬＥＤ５と斜めＬＥＤ６を、１つの放熱板７に取り付けることによって、部品点数と組み立て工数を削減できる。
【００４１】
なお、実施の形態では、蛍光ランプ３が円形で、照明器具本体２が円形の場合について説明した。蛍光ランプ３は、円形に限らず、直管、Ｕ字管または連結管などその他の形状でもよい。また、照明器具本体２は正方形、長方形、多角形、楕円形その他の形状であっても、本発明の思想の範囲を超えることなく、本発明の形態を構成することができる。そして、実施の形態と同様の効果を奏する。
【００４２】
以上、説明したように、本発明の直付け照明器具１によれば、下向きＬＥＤ５と斜めＬＥＤ６の組み合わせにより、多様な演出効果がある。また、下向きＬＥＤ５と斜めＬＥＤ６を１つのユニットにすることにより、組み立て工数を少なくできる。
【００４３】
下向きＬＥＤ５と斜めＬＥＤ６を１つの放熱板７に取り付けることにより、放熱効果を維持しながら、部品点数を削減できる。下向きＬＥＤ５と斜めＬＥＤ６の熱を外装９からさらに、照明器具本体２に伝導させ放熱面積を大きくすることができる。
【００４４】
さらに、飾り枠８により、本体照明から天井面への光を遮蔽するので、演出効果が高い。また、飾り枠８に意匠を施すことができるので、器具のデザインに多様な変化を付けることができる。
【００４５】
本発明の実施形態について説明したが、本発明は上述した実施形態に限定されることなく、本発明の範囲内で種々の実施形態が可能である。
【図面の簡単な説明】
【００４６】
【図１】本発明の実施の形態に係る直付け照明器具の構成例を示す斜視図である。
【図２】図１の直付け照明器具の断面図である。
【図３】図１の直付け照明器具における発光ユニットの照射方向を説明する図である。
【図４】本発明の実施の形態に係る発光ユニットの構成例を示す分解斜視図である。
【図５】本発明の実施の形態に係る飾り枠の構成を示す分解斜視図である。
【符号の説明】
【００４７】
１  直付け照明器具
２  照明器具本体
３  蛍光ランプ
４  点灯回路
５  下向き発光ダイオード（下向きＬＥＤ）
６  斜め上向き発光ダイオード（斜めＬＥＤ）
７  放熱板
８  飾り枠
９  外装
１０  発光ユニット
１３  レンズ
１４  レンズ
１５  遠隔制御受信部（リモコン受信部）
２０  取付面
【図１】
0004538662.tif 000002
【図２】
0004538662.tif 000003
【図３】
0004538662.tif 000004
【図４】
0004538662.tif 000005
【図５】
0004538662.tif 000006